(57)【要約】【課題】  絶えず環境温度が変化する環境においても、圧力センサの温度による特性変化を補償することにより適切な圧力値導出を可能とする。【解決手段】  外耳及びその周辺の適所を圧迫するカフと、脈波信号かつ／またはコロトコフ音を取得する信号取得手段と、カフ内の圧力値に対応した所定の信号レベルを出力する圧力センサと、圧力センサの温度を測定するための温度測定手段と、血圧値を導出する血圧値導出手段と、圧力センサ近傍の温度が所定値以上変化した場合に、圧力センサの特性変化を補正するため前記圧力値導出の調整を行う調整手段とを有する。【選択図】図９
2006288626.tif 000002
【特許請求の範囲】
【請求項１】
外耳及びその周辺の適所を圧迫するカフと、
前記カフによる圧迫部及びその周辺から脈波信号かつ／またはコロトコフ音を取得する信号取得手段と、
前記カフ内の圧力値に対応した所定の信号レベルを出力する圧力センサと、
前記信号レベルから導出される圧力値、および、前記外耳及びその周辺から得られる脈波信号かつ／またはコロトコフ音、に基づいて血圧値を導出する血圧値導出手段と、
前記カフの非加圧時における前記信号レベルが所定値以上変化した場合に、前記圧力センサの特性変化を補正するため前記圧力値導出の調整を行う調整手段と、
を有することを特徴とする血圧測定装置。
【請求項２】
外耳及びその周辺の適所を圧迫するカフと、
前記カフによる圧迫部及びその周辺から脈波信号かつ／またはコロトコフ音を取得する信号取得手段と、
前記カフ内の圧力値に対応した所定の信号レベルを出力する圧力センサと、
前記圧力センサの温度を測定するための温度測定手段と、
前記信号レベルから導出される圧力値、および、前記外耳及びその周辺から得られる脈波信号かつ／またはコロトコフ音、に基づいて血圧値を導出する血圧値導出手段と、
前記温度測定手段で測定された前記圧力センサ近傍の温度が所定値以上変化した場合に、前記圧力センサの特性変化を補正するため前記圧力値導出の調整を行う調整手段と、
を有することを特徴とする血圧測定装置。
【請求項３】
外耳及びその周辺の適所を圧迫するカフと、
前記カフによる圧迫部及びその周辺から脈波信号かつ／またはコロトコフ音を取得する信号取得手段と、
前記カフ内の圧力値に対応した所定の信号レベルを出力する圧力センサと、
前記圧力センサの温度を測定するための温度測定手段と、
前記信号レベルから導出される圧力値、および、前記外耳及びその周辺から得られる脈波信号かつ／またはコロトコフ音、に基づいて血圧値を導出する血圧値導出手段と、
前記カフの非加圧時における前記信号レベルが所定値以上変化し、かつ、前記温度測定手段で測定された前記圧力センサ近傍の温度が所定値以上変化した場合に、前記圧力センサの特性変化を補正するため前記圧力値導出の調整を行う調整手段と、
を有することを特徴とする血圧測定装置。
【請求項４】
前記調整手段は、前記カフの非加圧時における前記圧力センサから出力される前記信号レベルを圧力値の基準として調整することを特徴とする請求項１乃至３の何れか１項に記載の血圧測定装置。
【請求項５】
圧力センサの温度特性に対応した１以上のパラメータを記憶する記憶手段と、
前記温度センサにより得られた温度に対応した前記特性パラメータを選択する選択手段と、
をさらに有し、前記調整手段は選択された前記パラメータに応じて前記圧力値導出の調整を行うことを特徴とする請求項１乃至４の何れか１項に記載の血圧測定装置。
【請求項６】
前記信号取得手段により得られる前記脈波信号が、光電センサにより得られる光電脈波であることを特徴とする請求項１乃至５の何れか１項に記載の血圧測定装置。
【請求項７】
前記外耳及びその周辺の適所は、外耳道及び／又は耳介であること特徴とする請求項１乃至６の何れか１項に記載の血圧測定装置。
【請求項８】
前記外耳及びその周辺の適所は、耳珠及び／又はその周辺であることを特徴とする請求項１乃至６の何れか１項に記載の血圧測定装置。
【請求項９】
前記外耳及びその周辺の適所は、浅側頭動脈またはその分枝周辺であることを特徴とする請求項１乃至６の何れか１項に記載の血圧測定装置。
【請求項１０】
外耳及びその周辺の適所をカフで圧迫する圧迫工程と、
前記圧迫工程により圧迫される圧迫部及びその周辺から脈波信号かつ／またはコロトコフ音を取得する信号取得工程と、
前記カフ内の圧力値に対応した所定の信号レベルを出力する信号出力工程と、
前記圧力センサ近傍の温度を測定するための温度測定工程と、
前記信号レベルから導出される圧力値、および、前記外耳及びその周辺から得られる脈波信号かつ／またはコロトコフ音、に基づいて血圧値を導出する血圧値導出工程と、
前記温度測定工程で測定された前記圧力センサ近傍の温度が所定値以上変化した場合に、前記圧力センサの特性変化を補正するため前記圧力値の導出の調整を行う調整工程と、
を有することを特徴とする血圧測定方法。
【請求項１１】
カフ内圧力値を導出するための制御プログラムであって、
外耳及びその周辺の適所をカフで圧迫する圧迫工程を実行するためのプログラムコードと、
前記圧迫工程により圧迫される圧迫部及びその周辺から脈波信号かつ／またはコロトコフ音を取得する信号取得工程を実行するためのプログラムコードと、
前記カフ内の圧力値に対応した所定の信号を出力する信号出力工程を実行するためのプログラムコードと、
前記圧力センサ近傍の温度を測定する温度測定工程を実行するためのプログラムコードと、
前記信号から導出される圧力値、および、前記外耳及びその周辺から得られる脈波信号かつ／またはコロトコフ音に基づいて血圧値を導出する血圧値導出工程を実行するためのプログラムコードと、
前記温度測定工程で測定された前記圧力センサ近傍の温度が所定値以上変化した場合に、前記圧力値の導出の調整を行う調整工程を実行するためのプログラムコードと、
を有することを特徴とする制御プログラム。
【発明の詳細な説明】
【技術分野】
【０００１】
本発明は血圧測定装置、血圧測定方法、並びに制御プログラム、特に圧力センサの出力信号からのカフ圧値導出の調整に関するものである。
【背景技術】
【０００２】
従来の電子血圧計において、カフ内の圧力測定（カフ圧の制御や圧脈波検出）を行うために圧力値変化を電圧値変化として出力する圧力センサが用いられている。一般的に圧力センサは外部環境により自身の温度が変化すると出力特性が変化することから、圧力値導出の際には特許文献１に示されるように、所要の時間経過毎に所定量を加算することによる調整方法が利用されている。
【０００３】
従来の血圧測定器は室内で使用されることが多いため、通常圧力センサの特性の調整は上記のような方法で十分であった。
【特許文献１】特公昭５８−３４１５９号公報
【発明の開示】
【発明が解決しようとする課題】
【０００４】
外耳及びその周辺を測定部とする血圧測定装置においては、長期間測定も想定されており、測定器が被験者と共に屋内・屋外を問わず移動する。そのため、外気温の変化や体温の変化などにより圧力センサの温度が大きく上下することが想定され、圧力センサの特性の調整が重要になる。しかしながら、従来の調整方法では十分に補償を行うことが出来ない。また、調整のためには一般的に時間がかかるため、被験者の精神的・身体的負担となりうる。
【０００５】
本発明は上記問題点に鑑みてなされたものであり、絶えず環境温度が変化する環境においても、血圧を測定する際のカフ内の圧力値を導出するために用いられる圧力センサの温度による特性変化を調整により補償し、適切な圧力値導出を可能とすると同時に、調整動作頻度の低減化を可能とすることにより、調整動作の際の利用者への精神的・身体的負担を軽減することを可能にする技術を提供するものである。
【課題を解決するための手段】
【０００６】
外耳及びその周辺の適所を圧迫するカフと、カフによる圧迫部及びその周辺から脈波信号かつ／またはコロトコフ音を取得する信号取得手段と、カフ内の圧力値に対応した所定の信号レベルを出力する圧力センサと、圧力センサの温度を測定するための温度測定手段と、信号レベルから導出される圧力値、および、外耳及びその周辺から得られる脈波信号かつ／またはコロトコフ音に基づいて血圧値を導出する血圧値導出手段と、温度測定手段で測定された圧力センサ近傍の温度が所定値以上変化した場合に圧力センサの特性変化を補正するため圧力値導出の調整を行う調整手段とを有する。
【発明の効果】
【０００７】
本発明によれば、血圧を測定する際のカフ内の圧力値を導出するために用いられる圧力センサの温度による特性変化を調整により補償し、適切な圧力値導出を可能とする。また、調整動作頻度の低減化を可能とすることにより、調整動作の際の利用者への精神的・身体的負担を軽減することも可能にする血圧測定装置を提供することができる。
【発明を実施するための最良の形態】
【０００８】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００９】
（第１実施形態）
本発明に係る電子血圧計の第１実施形態として、光電容積脈波血圧計を例に挙げて以下に説明する。
【００１０】
＜装置構成＞
図１は実施形態の光電容積脈波血圧計の構成を示すブロック図である。図において、１０１はカフであり、血圧測定部位に固定する。１０２はエアチューブであり、カフ１０１内への空気の流路を成す。１０３は圧力ポンプであり、カフ１０１内に圧力空気を送り込む。１０４は急排弁であり、カフ１０１内の圧力を急速に減少させる。１０５は微排弁であり、カフ１０１内の圧力を一定速度（例えば２〜３mmHg/sec）で減少させる。１０６は圧力センサであり、カフ１０１内の圧力に応じて電気的パラメータを変化させる。１０７は圧力検出アンプ（ＡＭＰ）であり、圧力センサ１０６の電気的パラメータを検出し、これを電気的信号に変換し、かつ増幅してアナログのカフ圧信号Ｐ（不図示）を出力する。
【００１１】
１０８はカフ１０１内に設置された脈波センサであり、脈動する血管血流に光を照射するＬＥＤ１０８ａと、該血管血流による反射光を検出するフォトトランジスタ１０８ｂを含む。１０９は脈波検出アンプ（ＡＭＰ）であり、フォトトランジスタ１０８ｂの出力信号を増幅してアナログの脈波信号Ｍ（不図示）を出力する。ここで、ＬＥＤ１０８ａには光量を自動的に変化させる光量制御部１１８が接続され、一方脈波検出アンプ１０９には、ゲインを自動的に変化させるゲイン制御部１１９ａと時定数を変化させる時定数制御部１１９ｂとが接続されている。１１０はＡ／Ｄ変換器（Ａ／Ｄ）であり、アナログ信号Ｍ，Ｐ（不図示）をデジタルデータに変換する。
【００１２】
１１１は制御部（ＣＰＵ）であり、本光電容積脈波血圧計の主制御を行う。この制御の詳細は図４，図５のフローチャートに従って後述する。１１２はＲＯＭであり、ＣＰＵ１１１で実行される各種制御プログラムや、各種パラメータ（圧力センサの出力信号から圧力値を導出するパラメータなど）が記憶されている。各種制御プログラムの例としては、ＣＰＵ１１１が実行する例えば図４、図５に示される制御を行うプログラムがある。１１３はＲＡＭであり、データを一時的に記憶するデータメモリや画像表示のための画像メモリ等を備える。１１４は液晶表示器（ＬＣＤ）であり、画像メモリの内容を表示する。１１６はキーボードであり、使用者の操作により測定開始指令や調整圧力値の設定等を行える。１１５はブザーであり、使用者に対して装置がキーボード１１６内のキーの押し下げを感知したことや測定終了等を知らせる。尚、本実施形態では、ＣＰＵ１１１に調整圧力レジスタ１１１ａを設けたが、ＲＡＭ１１３に調整圧力記憶部を設けてもよい。
【００１３】
図２は実施形態の光電容積脈波血圧計の外観斜視図である。２００は血圧計本体であり、内部には図１のカフ１０１及び脈波センサ１０８を除く構成が含まれる。ここで、エアチューブ１０２は信号線（不図示）を含み、不図示のカフ１０１及び脈波センサ１０８に接続している。ＬＣＤ１１４は、ドットマトリックス方式の表示パネルを使用しており、従って多様な情報（例えば文字，図形，信号波形等）を表示できる。また２０１は電源スイッチで、キーボード１１６は測定開始スイッチ（ＳＴ）とカフの圧力値等を入力するためのテンキーとを有している。
【００１４】
＜測定部位への装着方法＞
外耳部、特に耳珠およびその周辺を測定部位とするために、カフを含む測定部は図３に示される通り、耳珠を両側から挟んで圧迫するよう構成されている。
【００１５】
＜装置の血圧測定動作＞
次に、本実施形態に係る光電容積脈波血圧計の動作について以下に説明する。図４は第１実施形態の光電容積脈波血圧計における血圧測定処理手順のフローチャートである。
装置に電源スイッチ２０１により電源投入すると、まずＣＰＵ１１１はＲＯＭ１１２に記憶された自己診断プログラムおよび初期パラメータを読み込み、自己診断処理を行い装置の初期化が行われ、待機状態になる。その後、測定開始スイッチＳＴを押すことにより血圧測定処理が開始される。
【００１６】
ステップＳ４０１では、圧力センサからカフ圧値Ｐを導出し、導出されたＰが０ｍｍＨｇから所定の誤差範囲内にあるかどうかを判断し、誤差範囲外である場合にはステップＳ４０２に進み、誤差範囲内である場合にはステップＳ４０３に進む。
【００１７】
ステップＳ４０２では、ステップＳ４０１において導出されたＰが誤差範囲外である場合に圧力値導出調整を行った後、ステップＳ４０３に進む。圧力値導出調整の動作は後程詳細に説明する。
【００１８】
ステップＳ４０３では、カフの加圧値Ｕ（例えば１２０〜２８０mmHgなどの最高血圧値より大きい値）についてキーボード１１６を使用して設定し、ステップＳ４０４で脈波信号のゲイン（光量及びゲイン）を設定する。
【００１９】
加圧値およびゲイン設定が終わると、ステップＳ４０５，Ｓ４０６では急排弁１０４及び微排弁１０５を閉じる。ステップＳ４０７では圧力ポンプ１０３を駆動開始し、ステップＳ４０８では、Ｐ＞Ｕとなるまでカフ圧を加圧する。Ｐ＞ＵとなるとステップＳ４０９では圧力ポンプ１０３を停止し、ステップＳ４１０では微排弁１０５を開く。
【００２０】
カフ圧は一定速度（例えば２〜３mmHg/sec）で減少開始をはじめ、血圧計測行程が開始される。この間にステップＳ４１１で各機能ブロックによるデータ処理が行われ、最高血圧及び最低血圧の測定が行われる。ステップＳ４１２では減圧時における最低血圧値の検出の有無を判別する。検出されていなければ引き続き計測を行う。ステップＳ４１３ではカフ圧が所定値Ｌ（例えば４０mmHg）より低いか否かを判別する。Ｐ＜Ｌでなければまだ正常測定範囲にあり、フローはステップＳ４１１に戻る。一方、Ｐ＜Ｌの時はもはやカフ圧が正常測定範囲よりも低いのでステップＳ４１４でＬＣＤ１１４に「測定エラー」を表示する。必要なら「減圧時信号異常」等の詳細情報を付記表示してもよい。
【００２１】
また、ステップＳ４１２の判別で測定終了の時は正常測定範囲で計測行程終了したことになり、ステップＳ４１５ではカフ１の残りの空気を急速排気し、ステップＳ４１６でＬＣＤ１１４に測定した最高血圧値及び最低血圧値を表示し、ステップＳ４１７でブザー１１５にトーン信号を送る。好ましくは、正常終了後と異常終了時とでは異なるトーン信号を送り、測定を終了し、次の測定開始を待つ。
【００２２】
＜圧力値調整の詳細動作＞
図５は、図４の圧力センサの補正動作である、ステップＳ４０２の詳細動作を説明するためのフローチャートである。
【００２３】
圧力値調整は、装置の初期化後、本来カフ内の空気は大気と導通しているため、圧力値が０ｍｍＨｇと導出されるべきであるにもかかわらず、所定の誤差以上の圧力値が導出された場合に実行する。
【００２４】
図５に、第１実施形態における圧力値調整の動作フローを示す。
【００２５】
ステップＳ５０１では、圧力センサの信号出力値を読み取る。
【００２６】
ステップＳ５０２では、ステップＳ５０１で読み取った信号出力値に対する圧力値が０ｍｍＨｇとなるようなオフセット値を導出する。つまり、読み取った信号出力電圧値と、初期パラメータ時に圧力値が０ｍｍＨｇとなる電圧値との差を求める。
【００２７】
ステップＳ５０３では、ステップＳ５０２で導出したオフセット値をもとに、ＲＯＭ１１２に記憶されたパラメータを新しいパラメータに置き換える。
【００２８】
上記の圧力調整動作に係る動作を、図６に示されるような温度特性を有する圧力センサが用いられ、外気温が４０度の場所で使用された場合について例示的に説明する。
【００２９】
ＲＯＭ１１２には初期パラメータとして（ｂ）に示されるような、圧力値導出パラメータが記憶されている。しかしながら、外気温が４０度の場所で測定を行った場合、圧力センサ自体の温度も同程度に上昇することになる結果、血圧測定装置の初期化直後における圧力センサの出力信号は１．５Ｖとなる。その結果、パラメータ（ｂ）を用い圧力値に換算すると、５０ｍｍＨｇという圧力値が得られることになる。パラメータ（ｂ）の状態のまま、血圧測定を行ったとしても、５０ｍｍＨｇほど高い圧力が結果として得られることになってしまう。
【００３０】
そのため、装置の初期化後、本来カフ内の空気が大気と導通している状態で、ステップＳ５０１では、圧力センサの信号の出力値（ここでは１．５Ｖ）を読み取る。
【００３１】
そして、ステップＳ５０２では初期パラメータ（ｂ）における０ｍｍＨｇに相当する信号出力値（１．０Ｖ）とステップＳ５０１で読み出した値（１．５Ｖ）とのオフセットの値（０．５Ｖ）を導出する。ステップＳ５０３では、現在読み込まれている初期パラメータに対し、ステップＳ５０２で導出したオフセットの値だけ変更を適用したパラメータを再設定する。
【００３２】
その結果、４０度の場合パラメータ（ａ）に相当するパラメータが設定されることとなり、カフ内の空気が大気と導通している状態での圧力センサの信号の出力値（１．５Ｖ）であっても正しい圧力値である０ｍｍＨｇを導出できることとなる。
【００３３】
なお、上記では温度変化によるセンサ出力値に応じて、導出パラメータを変化させることにより、修正された圧力値を導出するような補正動作を説明したが、圧力センサにフィードバック制御を施し、圧力センサからの出力値自体を修正するように構成してもよい。
【００３４】
＜血圧測定の詳細動作＞
正常に血圧測定が行われた際における、測定の開始から終了までの時間におけるカフ圧と脈波信号のグラフ（模式図）を図７に示す。図７のグラフに対し最高血圧および最低血圧は概略以下のように行われる。すなわち、脈波信号の出現時点（ａ）のカフ圧を最高血圧、脈波信号の大きさの変化が無くなった点（ｂ）のカフ圧を最低血圧とする。
【００３５】
本実施形態では血管内の血液による反射光を検出する例を示したが、替わりに透過光を検出するものであってもよい。その場合には、１０８ａおよび１０８ｂが測定部を挟み込むように両側に配置されることとなる。
【００３６】
以上説明したように、本実施形態の光電容積脈波血圧計により、血圧を測定する際のカフ内の圧力値を導出するために用いられる圧力センサの温度による特性変化を補償し、適切な圧力値導出を可能とする。また、調整動作頻度の低減化を可能とすることにより、調整動作の際の利用者への精神的・身体的負担を軽減することも可能にする血圧測定装置を提供することができる。
【００３７】
（第２実施形態）
本発明に係る電子血圧計の第２実施形態として、圧脈波血圧計を例に挙げて以下に説明する。なお、本実施形態は、主に温度センサによる温度情報を利用する点で第１実施形態と異なっている。測定部位へのカフの装着方法および血圧の算出動作は第１実施形態とほぼ同様であるため説明は省略する。
【００３８】
＜装置構成＞
図８は第２実施形態に係る圧脈波血圧計の構成を示すブロック図である。図１との相違点は、光電センサおよびその関連部分を有しておらず、圧力センサ８０６の温度を取得するための温度センサ８０７を有する点である。
【００３９】
また、ＲＯＭ８１２には圧力センサ８０６の出力信号から圧力値を導出するためのパラメータが複数記憶されており、パラメータの設定時には対応する圧力センサ８０６の温度の値がＣＰＵ８１１によりＲＡＭ８１３の温度記憶領域に記憶される。
【００４０】
他の部分は第１実施形態とほぼ同様のため説明は省略する。
【００４１】
＜圧力値調整の詳細動作＞
図９は、図４の調整動作におけるステップＳ４０２の詳細動作を説明するためのフローチャートである。圧力値調整は、装置の初期化後、本来カフ内の空気は大気と導通しているため、圧力値が０ｍｍＨｇと導出されるべきであるにもかかわらず、所定の誤差以上の圧力値が導出された場合に実行され、以下のステップを含んでいる。
【００４２】
ステップＳ９０１では、温度センサ８０７を用い圧力センサ８０６の温度を読み取る。
【００４３】
ステップＳ９０２では、ＲＡＭの温度記憶領域に読み込まれている温度値を読み取る。つまり、電源ＯＮ後、最初の測定であれば初期化時の温度値、２回目の測定以降であれば前回圧力調整時に設定された温度値が読み取られることになる。
【００４４】
ステップＳ９０３では、ステップＳ９０１で読み取られた温度値とステップＳ９０２で読み取られた温度値が所定の差に収まっているか否かを判断する。所定の差以内であれば、圧力センサの特性に変化は無いとみなし、新たに調整は行わずに、既存のパラメータをそのまま用いる。所定の差以上であった場合はステップＳ９０４に進む。なお、所定の差の値は、測定精度を重視する場合は、温度センサの測定誤差（標準偏差）以下となるように値を決定することが望ましい。なお、測定時間の短縮を重視する場合には、温度センサの測定誤差以上の値を採用してもよい。
【００４５】
ステップＳ９０４では、ステップＳ９０１で読み取られた温度値に対応する、圧力センサのパラメータをＲＯＭ８１２から読み込み、ＲＡＭ８１３に記憶されている既存のパラメータに対し上書きを行う。
【００４６】
上記のステップにおける動作を、第１実施形態と同じく図６のグラフ（ａ）〜（ｃ）に示されるような温度特性を有する圧力センサを用い、外気温が４０度の場所で使用された場合について例示的に説明する。
【００４７】
ＲＯＭ８１２には圧力センサの温度特性を示すパラメータとしてグラフ（ａ）〜（ｃ）に対応するような、圧力値導出パラメータが記憶されている。
【００４８】
初期値としてグラフ（ｂ）に対応するパラメータが読み込まれている状態において、外気温が４０度の場所で測定を行った場合、圧力センサ自体の温度も同程度に上昇することになる結果、血圧測定装置における初期化直後、つまり圧力センサが大気と導通している状態における圧力センサの出力信号はグラフ（ａ）に従い１．５Ｖとなる。
【００４９】
その結果、読み込まれているグラフ（ｂ）に対応するパラメータを用い圧力値に換算すると、５０ｍｍＨｇという圧力値が得られることになる。つまり、グラフ（ｂ）に対応するパラメータの状態のまま、血圧測定を行った場合正しい値よりも５０ｍｍＨｇほど高い圧力が結果として得られることになってしまうため、圧力値調整が必要であることが分かる。
【００５０】
以下に、圧力値調整の具体的な動作例を示す。装置の初期化後、本来カフ内の空気が大気と導通している状態で、ステップＳ９０１では、圧力センサの温度（ここでは４０度）を温度センサにより読み取る。
【００５１】
そして、ステップＳ９０２では初期化時に記憶された初期化時の温度値（２０度）をＲＡＭ８１３の温度値記憶領域から読み取る。
【００５２】
ステップＳ９０３では、ステップＳ９０１で読み取られた温度値（４０度）とステップＳ９０２で読み取られた温度値（２０度）が所定の差（たとえば１度）以内に収まっているか否かを判断し、今回の場合は差が１５度であるので収まっていないと判断する。
【００５３】
ステップＳ９０４では、ステップＳ９０１で読み取られた温度値（４０度）に対応する、圧力センサのパラメータ（ａ）をＲＯＭ８１２から読み込み設定を行う。
【００５４】
その結果、４０度の場合パラメータ（ａ）に相当するパラメータが設定されることとなり、カフ内の空気が大気と導通している状態での圧力センサの信号の出力値（１．５Ｖ）であっても正しい圧力値である０ｍｍＨｇを導出できることとなる。
【００５５】
なお、図６では、説明の簡略化のため圧力センサの温度による特性は、一次関数的に変化するものと仮定し単一のパラメータを用い説明した。もちろん、複数のパラメータ（より高次の関数により対応付けるなど）を用いて実現してもよい。
【００５６】
また、上記では血圧測定開始を温度測定（および調整動作）のトリガとしたが、待機状態（つまり急排弁８０４が開いておりカフ内の空気が待機と導通している状態）において、連続的あるいは定期的に温度測定を行い、所定の温度差が生じた際適宜調整動作を行うように構成することにより、測定開始を速やかに行えるという利点がある。
【００５７】
（第３実施形態）
第１実施形態で説明したような圧力値変化、および第２実施形態で説明したような温度値の変化を利用することにより、機器の異常等が発生していない場合には圧力センサ特性の補正が可能となり、精度の高い血圧値の導出が可能となる。
【００５８】
一方、機器に何らかの異常が発生している場合、本来得られるべき値が得られない場合、圧力センサの補正が出来ないだけでなく、補正前に比較しても異常な値を示してしまう場合が発生しうる。機器の異常としては、例えば、圧力センサや温度センサの故障（異常値の出力）や開閉弁の故障などがある。
そのため、機器の異常を検知し、ユーザに通知することも重要である。
【００５９】
そこで、第３実施形態では、圧力値変化および温度値変化の両方を監視することにより、温度変化による特性変化の補償に加え、機器異常の検知が可能となる構成について説明する。
【００６０】
図１０に第３実施形態における血圧測定のための動作フローチャートを示す。
【００６１】
ステップＳ１００１では、温度センサ８０７を用い圧力センサ８０６の温度を読み取る。
【００６２】
ステップＳ１００２では、ステップＳ１００１で読み取られた温度値に対応する、圧力センサのパラメータをＲＯＭ８１２から読み込み、ＲＡＭ８１３に記憶する。
【００６３】
ステップＳ１００３では、ステップＳ１００２で読み込んだパラメータを利用して、圧力値を導出する。
【００６４】
ステップＳ１００４では、ステップＳ１００３で導出した圧力値が、０ｍｍＨｇから所定の誤差範囲内であるか否かを判定する。圧力センサの温度に応じて、補正をかけているにもかかわらず、所定の誤差範囲に入っていないということから、何らかの機器異常（圧力センサや温度センサの異常や開閉弁の異常）が発生していると結論付けられる。そのため、ただちに機器エラーを表示すると共に測定動作を終了（中止）する。
【００６５】
ステップＳ１００３で導出した圧力値が、０ｍｍＨｇから所定の誤差範囲内に収まっている場合は、通常の血圧測定動作を開始する。
【００６６】
以上、説明したように、本実施形態によれば、温度が変化する環境下での適切な圧力値導出の補正が可能となり、より適切な血圧値を利用者に通知することが可能となる。
【００６７】
また、圧力値導出もしくは温度値導出に係る機器異常発生時に、異常を検知し異常であることを利用者に知らせることが可能となるという効果もある。
【００６８】
（他の実施形態）
以上、本発明の実施形態について詳述したが、本発明は、複数の機器から構成されるシステムに適用しても良いし、また、一つの機器からなる装置に適用しても良い。
【００６９】
なお、本発明は、前述した実施形態の機能を実現するプログラムを、システム或いは装置に直接或いは遠隔から供給し、そのシステム或いは装置が、供給されたプログラムコードを読み出して実行することによっても達成される。従って、本発明の機能処理をコンピュータで実現するために、コンピュータにインストールされるプログラムコード自体も本発明の技術的範囲に含まれる。その場合、プログラムの機能を有していれば、オブジェクトコード、インタプリタにより実行されるプログラム、ＯＳに供給するスクリプトデータ等、プログラムの形態を問わない。
【００７０】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７１】
その他、プログラムの供給方法としては、クライアントコンピュータのブラウザを用いてインターネットのホームページに接続し、ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００７２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００７３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００７４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００７５】
【図１】第１実施形態の光電容積脈波血圧計の構成図である。
【図２】第１実施形態の光電容積脈波血圧計の外観斜視図である。
【図３】外耳周辺部へのカフの装着例を示す図である。
【図４】第１実施形態の血圧測定の全体動作のフローチャートである。
【図５】第１実施形態の圧力値調整のフローチャートである。
【図６】圧力センサの温度特性の例を示す図である。
【図７】脈波信号と血圧値との関係を示す図である。
【図８】第２実施形態の圧脈波血圧計の構成図である。
【図９】第２実施形態の圧力値調整のフローチャートである。
【図１０】第３実施形態における動作フローチャートである。
【図１】
2006288626.tif 000003
【図２】
2006288626.tif 000004
【図３】
2006288626.tif 000005
【図４】
2006288626.tif 000006
【図５】
2006288626.tif 000007
【図６】
2006288626.tif 000008
【図７】
2006288626.tif 000009
【図８】
2006288626.tif 000010
【図９】
2006288626.tif 000011
【図１０】
2006288626.tif 000012